(57)【要約】【課題】既設の侵入防止柵の一部を利用することにより、建設コスト削減及び工期短縮を図ることができると共に、エゾ鹿を容易確実に捕獲できる、侵入防止柵を利用したエゾ鹿捕獲柵を提供する。【解決手段】エゾ鹿の捕獲を行うため所定のスペースを囲う捕獲用金網柵２２の所定位置にゲート２３を配設し、捕獲用金網柵２２に、捕獲用金網柵２２の全長に及んで所定高さにビニールシート等を張設する目隠し部２４を配設した捕獲柵本体部２５と、エゾ鹿を捕獲する檻で構成される捕獲施設２６と、捕獲柵本体部２５と捕獲施設２６とを互いに所定間隔離間させた両壁部２７，２７により連接し、両壁部２７，２７内を介してエゾ鹿を捕獲柵本体部２５から捕獲施設２６に誘導するためのシュート部２８とを備えたエゾ鹿捕獲柵に於いて、捕獲用金網柵２２の一部（Ａで示す範囲）として、既設のエゾ鹿侵入防止柵４１の侵入防止金網柵４２の一部を用いる。【選択図】図１
2012249566.tif 000002
【特許請求の範囲】
【請求項１】
エゾ鹿の捕獲を行うため所定のスペースを囲う捕獲用金網柵の所定位置にエゾ鹿の侵入後に閉扉するゲートを配設し、前記捕獲用金網柵に、前記捕獲用金網柵の全長に及んで所定高さの目隠し部を配設した捕獲柵本体部と、エゾ鹿を捕獲する檻で構成される捕獲施設と、前記捕獲柵本体部と前記捕獲施設とを互いに所定間隔離間させた両壁部により連接し、前記両壁部内を介してエゾ鹿を前記捕獲柵本体部から前記捕獲施設に誘導するためのシュート部とを備えたエゾ鹿捕獲柵に於いて、
既設のエゾ鹿侵入防止柵の侵入防止金網柵の一部を前記捕獲用金網柵の一部として用いることを特徴とする侵入防止柵を利用したエゾ鹿捕獲柵。
【請求項２】
前記侵入防止金網柵の近傍に、前記侵入防止金網柵に沿って前記シュート部及び前記捕獲施設を配設したことを特徴とする請求項１記載の侵入防止柵を利用したエゾ鹿捕獲柵。
【請求項３】
前記侵入防止金網柵が支柱により外方側に折曲されて形成される前記侵入防止金網柵の角部を含む角部周辺部を前記捕獲用金網柵の一部として用いることを特徴とする請求項１又は２記載の侵入防止柵を利用したエゾ鹿捕獲柵。
【発明の詳細な説明】
【技術分野】
【０００１】
本発明は、既設の侵入防止柵の一部を利用することにより、建設コスト削減及び工期短縮を図ることができる、侵入防止柵を利用したエゾ鹿捕獲柵に関する。
【背景技術】
【０００２】
従来技術の一例を図８を用いて説明する。
図８に於いて、１は、従来例のエゾ鹿捕獲柵であり、エゾ鹿捕獲柵１は、エゾ鹿の捕獲を行うため所定のスペースを囲う捕獲用金網柵２の所定位置にエゾ鹿の侵入後に閉扉する落とし扉３Ａ等から成るゲート３を配設し、捕獲用金網柵２に、捕獲用金網柵２の全長に及んでビニールシート等を所定高さに張設する目隠し部４を配設した捕獲柵本体部５と、エゾ鹿を捕獲する檻で構成される捕獲施設６と、捕獲柵本体部５と捕獲施設６とを互いに所定間隔離間させた両壁部７，７により連接し、両壁部７，７内を介してエゾ鹿を捕獲柵本体部５から捕獲施設６に誘導するためのシュート部８とを備えたものである。
【０００３】
次に、前記エゾ鹿捕獲柵１により、エゾ鹿を捕獲する手順について説明する。
まず、捕獲柵本体部５内にエゾ鹿１０を誘導するための誘導餌９を置く。
誘導餌９に誘導されてエゾ鹿１０がゲート３から侵入すると、捕獲柵本体部５内のエゾ鹿１０の検知により、自動又は手動によってゲート３を閉扉する。
次に、捕獲柵本体部５のエゾ鹿１０を人がシュート部８に追い込んでいく。そして、エゾ鹿１０をシュート部８を介して捕獲施設６に誘導し、エゾ鹿１０は、捕獲施設６内に捕獲される。
【０００４】
此種技術の先行技術文献として、例えば、特許文献１がある。特許文献１には、エゾ鹿の侵入防止を図る侵入防止柵に、エゾ鹿を追い込むための追い込みパドックが設けられ、追い込みパドックにエゾ鹿を捕獲する箱型の金網柵が扉を介して連通して設けられた動物の捕獲装置が記載されている。
【先行技術文献】
【特許文献】
【０００５】
【特許文献１】特開平１０−４８５４号公報
【発明の概要】
【発明が解決しようとする課題】
【０００６】
前述した従来例のエゾ鹿捕獲柵（図８に於いて１）は、エゾ鹿の捕獲を行うため所定のスペースを囲う捕獲用金網柵を比較的大きくする必要があり、そのため、捕獲用金網柵自体の建設コストがかかる問題があった。
又、前記特許文献１は、侵入防止柵に追い込みパドックが設けられることにより、捕獲装置部分の建設コストを抑えることができるが、追い込みパドックの大きさにも限度があり、充分な大きさが確保できない虞がある点と、追い込みパドックは完全に囲われていないことから、誘導の段階や、追い込みの段階でエゾ鹿が追い込みパドックから外側に逃げ出す虞がある等の問題があった。
【０００７】
以上の現状に鑑み、本発明は、既設の侵入防止柵の一部を利用することにより、建設コスト削減及び工期短縮を図ることができると共に、エゾ鹿を容易確実に捕獲できる、侵入防止柵を利用したエゾ鹿捕獲柵を提供することを目的とする。
【課題を解決するための手段】
【０００８】
上記の課題を解決すべく、本発明は以下の構成を提供する。
請求項１に係る発明は、エゾ鹿の捕獲を行うため所定のスペースを囲う捕獲用金網柵の所定位置にエゾ鹿の侵入後に閉扉するゲートを配設し、前記捕獲用金網柵に、前記捕獲用金網柵の全長に及んで所定高さの目隠し部を配設した捕獲柵本体部と、エゾ鹿を捕獲する檻で構成される捕獲施設と、前記捕獲柵本体部と前記捕獲施設とを互いに所定間隔離間させた両壁部により連接し、前記両壁部内を介してエゾ鹿を前記捕獲柵本体部から前記捕獲施設に誘導するためのシュート部とを備えたエゾ鹿捕獲柵に於いて、
既設のエゾ鹿侵入防止柵の侵入防止金網柵の一部を前記捕獲用金網柵の一部として用いることを特徴とする侵入防止柵を利用したエゾ鹿捕獲柵を提供するものである。
【０００９】
請求項２に係る発明は、前記侵入防止金網柵の近傍に、前記侵入防止金網柵に沿って前記シュート部及び前記捕獲施設を配設したことを特徴とする請求項１記載の侵入防止柵を利用したエゾ鹿捕獲柵を提供するものである。
【００１０】
請求項３に係る発明は、前記侵入防止金網柵が支柱により外方側に折曲されて形成される前記侵入防止金網柵の角部を含む角部周辺部を前記捕獲用金網柵の一部として用いることを特徴とする請求項１又は２記載の侵入防止柵を利用したエゾ鹿捕獲柵を提供するものである。
【発明の効果】
【００１１】
本発明によれば、既設の侵入防止柵の一部を利用することにより、建設コスト削減及び工期短縮を図ることができると共に、エゾ鹿を容易確実に捕獲できる、侵入防止柵を利用したエゾ鹿捕獲柵を提供することができる。
【図面の簡単な説明】
【００１２】
【図１】（ａ）本発明の侵入防止柵を利用したエゾ鹿捕獲柵の平面図である。（ｂ）本発明の鹿捕獲用金網柵の正面図である。（ｃ）本発明の鹿捕獲用金網柵の側面図である。（ｄ）本発明のゲートが取り付けられた鹿捕獲用金網柵の正面図である。（ｅ）既設のエゾ鹿侵入防止柵の正面図である。（ｆ）既設のエゾ鹿侵入防止柵の側面図である。
【図２】（ａ）本発明のシュート部と捕獲施設の平面図である。（ｂ）本発明のシュート部の正面図である。（ｃ）本発明のシュート部のコンパネと仕切扉の正面図である。
【図３】（ａ）本発明の捕獲施設の落とし扉の正面図である。（ｂ）本発明の捕獲施設の前面仕切体の正面図である。（ｃ）本発明の捕獲施設の一部正面図である。
【図４】本発明の変形例の侵入防止柵を利用したエゾ鹿捕獲柵の平面図である。
【図５】図４に示した侵入防止柵を利用したエゾ鹿捕獲柵の一部拡大平面図である。
【図６】本発明の別の変形例の侵入防止柵を利用したエゾ鹿捕獲柵の平面図である。
【図７】（ａ）本発明のシュート部の内部を写した写真である。（ｂ）本発明の捕獲施設の全体を写した写真である。
【図８】（ａ）従来例のエゾ鹿捕獲柵の平面図である。（ｂ）従来例の鹿捕獲用金網柵の正面図である。（ｃ）従来例の鹿捕獲用金網柵の側面図である。（ｄ）従来例のゲートが取り付けられた鹿捕獲用金網柵の正面図である。（ｅ）従来例のエゾ鹿捕獲柵のシュート部と捕獲施設の正面図である。（ｆ）従来例のエゾ鹿捕獲柵のシュート部と捕獲施設の平面図である。
【発明を実施するための形態】
【００１３】
以下、実施例を示した図面を参照しつつ本発明の実施の形態を説明する。
図１に於いて、２１は、本発明の侵入防止柵を利用したエゾ鹿捕獲柵であり、侵入防止柵を利用したエゾ鹿捕獲柵２１は、エゾ鹿の捕獲を行うため所定のスペースを囲う捕獲用金網柵２２の所定位置にエゾ鹿の侵入後に閉扉する落とし扉２３Ａ等から成るゲート２３を配設し、捕獲用金網柵２２に、捕獲用金網柵２２の全長に及んで所定高さにビニールシート等を張設する目隠し部２４を配設した捕獲柵本体部２５と、エゾ鹿を捕獲する檻で構成される捕獲施設２６と、捕獲柵本体部２５と捕獲施設２６とを互いに所定間隔離間させた両壁部２７，２７により連接し、両壁部２７，２７内を介してエゾ鹿を捕獲柵本体部２５から捕獲施設２６に誘導するためのシュート部２８とを備え、前記捕獲用金網柵２２の一部（Ａで示す範囲）として、既設のエゾ鹿侵入防止柵４１の侵入防止金網柵４２の一部を用いたものである。
【００１４】
図１（ｂ）及び（ｃ）は前記捕獲用金網柵２２を示しており、捕獲用金網柵２２は所定間隔で地面に設置した支柱２９，２９…に捕獲用金網３０が張設され、支柱２９と捕獲用金網３０との間にビニールシート等から成る所定高さの目隠し部２４が張設されている。
目隠し部２４は、捕獲用金網３０の如く金網の向こう側が見えると、エゾ鹿が追い込み時に突進して怪我をする虞があるため、それを防止するべく目隠しをするものである。
図１（ｄ）は前記捕獲用金網柵２２に落とし扉２３Ａを取り付けた状態を示している。
図１（ｅ）及び（ｆ）はエゾ鹿侵入防止柵４１の侵入防止金網柵４２を示しており、侵入防止金網柵４２は所定間隔で地面に設置した支柱４３，４３…に侵入防止金網４４が張設されている。
【００１５】
図２（ａ）は前記シュート部２８と捕獲施設２６とを示しており、前記シュート部２８は、両壁部２７，２７が図２（ｂ）に示すようにコンパネ（コンクリート型枠用合板）で形成され、両壁部２７，２７によって形成される内部空間が、図２（ｃ）に示すようにコンパネ５１及びコンパネにより形成された仕切扉５２によって区画されて連続する３つの部屋に形成されている。前記シュート部２８の内部を写した写真を図７（ａ）に示している。
又、捕獲施設２６は、先端｛図２（ａ）に於いて捕獲施設２６の右端｝を図３（ａ）に示す、コンパネにより形成された落とし扉５４によって閉じられ、前面｛図２（ａ）に於いて捕獲施設２６の左端｝を図３（ｂ）に示す、金網により形成された前面仕切体５５によって閉じられ、両壁部５３，５３に挟まれて形成される内部空間が、別の落とし扉５４，５４によって連続する３つの部屋に区画されている。前記捕獲施設２６の全体を写した写真を図７（ｂ）に示している。
【００１６】
図４は、前記侵入防止柵を利用したエゾ鹿捕獲柵（図１に於いて２１）の変形例を示し、前記侵入防止柵を利用したエゾ鹿捕獲柵（図１に於いて２１）に於いて、シュート部２８及び捕獲施設２６を侵入防止金網柵４２に沿って配設したものである。
具体的には、図５に示すように、既設のエゾ鹿侵入防止柵４１の侵入防止金網柵４２の一部を用いた捕獲用金網柵２２の一部（Ａで示す範囲）に連続して、シュート部２８及び捕獲施設２６を侵入防止金網柵４２の近傍に侵入防止金網柵４２に沿って順次配設する。
このように、シュート部２８及び捕獲施設２６を既設のエゾ鹿侵入防止柵４１の侵入防止金網柵４２の近傍に、侵入防止金網柵４２に沿って順次設置することにより、設置スペースをコンパクトにすることができる。又、捕獲柵本体部２５の一部と、シュート部２８と、捕獲施設２６とを、略直線状に整列させることができ、エゾ鹿の誘導及び捕獲が容易となる利点がある。
尚、前述の説明では、シュート部２８及び捕獲施設２６を侵入防止金網柵４２に沿って配設したが、それに代えて、侵入防止金網柵４２の所定箇所を取外し、取外した箇所にシュート部２８及び捕獲施設２６を配設することも可能である。
【００１７】
図６は、前記侵入防止柵を利用したエゾ鹿捕獲柵（図１に於いて２１）の別の変形例を示し、前記侵入防止柵を利用したエゾ鹿捕獲柵（図１に於いて２１）に於いて、侵入防止金網柵４２が支柱４３により外方側に折曲されて形成される侵入防止金網柵４２の角部５６を含む角部５６周辺部を捕獲用金網柵２２の一部（Ａで示す範囲）として用いるものである。
これにより、エゾ鹿の捕獲を行うため捕獲用金網柵２２が囲う所定のスペースを効率良く大きくすることができると共に、この捕獲用金網柵２２の一部（Ａで示す範囲）に含まれる角部５６を前記シュート部２８の近傍に位置させれば、角部５６により、追い込まれて逃げるエゾ鹿の速度を低下させて前記シュート部２８に追い込むことができ、エゾ鹿の怪我等の発生を防止できる。
【符号の説明】
【００１８】
２１  侵入防止柵を利用したエゾ鹿捕獲柵
２２  鹿捕獲用金網柵
２３  ゲート
２４  目隠し部
２５  捕獲柵本体部
２６  捕獲施設
２７  壁部
２８  シュート部
２９  支柱
４１  エゾ鹿侵入防止柵
４２  侵入防止金網柵
５６  角部
【図２】
2012249566.tif 000003
【図５】
2012249566.tif 000004
【図１】
2012249566.tif 000005
【図３】
2012249566.tif 000006
【図４】
2012249566.tif 000007
【図６】
2012249566.tif 000008
【図７】
2012249566.tif 000009
【図８】
2012249566.tif 000010